(57)【要約】【課題】撮影プロトコルと造影プロトコルとの整合性を保つように容易に設定可能とする。【解決手段】実施形態の画像診断装置は、判定部と、出力制御部と、を備える。判定部は、被検体の撮影にかかる撮影プロトコルと、前記被検体へ造影剤を投与する造影剤インジェクタにより設定された前記被検体への造影剤投与に関する造影プロトコルとが整合するか否かを判定する。出力制御部は、前記造影プロトコルと前記撮影プロトコルとが整合しないと判定された場合に、前記造影プロトコルと前記撮影プロトコルとが整合していない旨の情報を所定の出力部に出力させる。【選択図】図３
2015165887.tif 000002
【特許請求の範囲】
【請求項１】
被検体の撮影にかかる撮影プロトコルと、前記被検体へ造影剤を投与する造影剤インジェクタにより設定された前記被検体への造影剤投与に関する造影プロトコルとが整合するか否かを判定する判定部と、
前記造影プロトコルと前記撮影プロトコルとが整合しないと判定された場合に、前記造影プロトコルと前記撮影プロトコルとが整合していない旨の情報を所定の出力部に出力させる出力制御部と、
を備える画像診断装置。
【請求項２】
前記造影プロトコルは、テスト投与の有無を含み、
前記撮影プロトコルは、前記テスト投与に対応したテストスキャンの有無を含み、
前記判定部は、前記造影プロトコルにおけるテスト投与の有無と、前記撮影プロトコルにおける前記テスト投与に対応したテストスキャンの有無とをもとに、前記造影プロトコルと前記撮影プロトコルとが整合するか否かを判定する
請求項１に記載の画像診断装置。
【請求項３】
前記被検体に対して前記テスト投与に対応したテストスキャンを行った場合にテストスキャン済みであることを記憶する記憶部を更に備え、
前記判定部は、前記造影プロトコルに前記テスト投与が有る場合又は前記撮影プロトコルに前記テストスキャンが有る場合に、前記テストスキャン済みであるか否かを判定し、
前記出力制御部は、前記テストスキャン済みであると判定された場合、テスト投与済みであるのにテスト投与が有る造影プロトコルが設定されていること、又はテストスキャン済みであるのにテストスキャンがある撮影プロトコルが設定されていることを示す情報を前記所定の出力部に出力させる、
請求項２に記載の画像診断装置。
【請求項４】
前記記憶部は、前記造影剤インジェクタのテスト投与における前記造影剤の種類及び前記造影剤を投与する部位の条件ごとに、前記テストスキャン済みであることを記憶し、
前記判定部は、前記造影プロトコルに有るテスト投与又は前記撮影プロトコルに有るテストスキャンにかかる前記造影剤の種類及び前記造影剤を投与する部位の条件を同一とするテストスキャンが済みであるか否かを判定する、
請求項３に記載の画像診断装置。
【請求項５】
前記記憶部は、前記被検体の撮影が終了した場合に、前記テストスキャン済みであることの記憶を消去する、
請求項３又は４に記載の画像診断装置。
【請求項６】
被検体の撮影にかかる撮影プロトコルと、前記被検体へ造影剤を投与する造影剤インジェクタにより設定された前記被検体への造影剤投与に関する造影プロトコルとが整合するか否かを判定する判定部と、
前記造影プロトコルと前記撮影プロトコルとが整合しないと判定された場合に、前記造影プロトコル又は前記撮影プロトコルの一方を、他方に合わせて修正するプロトコル修正部と、
を備える画像診断装置。
【請求項７】
前記造影プロトコルは、テスト投与の有無を含み、
前記撮影プロトコルは、前記テスト投与に対応したテストスキャンの有無を含み、
前記判定部は、前記造影プロトコルにおけるテスト投与の有無と、前記撮影プロトコルにおける前記テスト投与に対応したテストスキャンの有無とをもとに、前記造影プロトコルと前記撮影プロトコルとが整合するか否かを判定する、
請求項６に記載の画像診断装置。
【請求項８】
前記プロトコル修正部は、前記造影プロトコルと前記撮影プロトコルとが整合しないと判定された場合に、前記造影プロトコルにおけるテスト投与の有無又は前記撮影プロトコルにおけるテスト投与に対応したテストスキャンの有無の一方を、他方に合わせて修正する、請求項７に記載の画像診断装置。
【請求項９】
前記被検体に対して前記テスト投与に対応したテストスキャンを行った場合にテストスキャン済みであることを記憶する記憶部を更に備え、
前記判定部は、前記造影プロトコルに前記テスト投与が有る場合又は前記撮影プロトコルに前記テストスキャンが有る場合に、前記テストスキャン済みであるか否かを判定し、
前記プロトコル修正部は、前記テストスキャン済みであると判定された場合、前記テスト投与がない造影プロトコル又は前記テストスキャンがない撮影プロトコルに修正する、
請求項７に記載の画像診断装置。
【請求項１０】
前記記憶部は、前記造影剤インジェクタのテスト投与における前記造影剤の種類及び前記造影剤を投与する部位の条件ごとに、前記テストスキャン済みであることを記憶し、
前記判定部は、前記造影プロトコルに有るテスト投与又は前記撮影プロトコルに有るテストスキャンにかかる前記造影剤の種類及び前記造影剤を投与する部位の条件を同一とするテストスキャンが済みであるか否かを判定する、
請求項９に記載の画像診断装置。
【請求項１１】
前記記憶部は、前記被検体の撮影が終了した場合に、前記テストスキャン済みであることの記憶を消去する、
請求項９又は１０に記載の画像診断装置。
【請求項１２】
被検体への造影剤投与に関する造影プロトコルと、前記被検体を撮影する画像診断装置により設定された前記被検体の撮影にかかる撮影プロトコルとが整合するか否かを判定する判定部と、
前記造影プロトコルと前記撮影プロトコルとが整合しないと判定された場合に、前記造影プロトコルと前記撮影プロトコルとが整合していない旨の情報を所定の出力部に出力させる出力制御部と、
を備える造影剤インジェクタ。
【請求項１３】
被検体への造影剤投与に関する造影プロトコルと、前記被検体を撮影する画像診断装置により設定された前記被検体の撮影にかかる撮影プロトコルとが整合するか否かを判定する判定部と、
前記造影プロトコルと前記撮影プロトコルとが整合しないと判定された場合に、前記造影プロトコル又は前記撮影プロトコルの一方を、他方に合わせて修正するプロトコル修正部と、
を備える造影剤インジェクタ。
【請求項１４】
被検体を撮影する画像診断装置により設定された前記被検体の撮影にかかる撮影プロトコルと、前記被検体へ造影剤を投与する造影剤インジェクタにより設定された前記被検体への造影剤投与に関する造影プロトコルとが整合するか否かを判定する判定部と、
前記造影プロトコルと前記撮影プロトコルとが整合しないと判定された場合に、前記造影プロトコルと前記撮影プロトコルとが整合していない旨の情報を所定の出力部に出力させる出力制御部と、
を備える造影撮影支援装置。
【請求項１５】
被検体を撮影する画像診断装置により設定された前記被検体の撮影にかかる撮影プロトコルと、前記被検体へ造影剤を投与する造影剤インジェクタにより設定された前記被検体への造影剤投与に関する造影プロトコルとが整合するか否かを判定する判定部と、
前記造影プロトコルと前記撮影プロトコルとが整合しないと判定された場合に、前記造影プロトコル又は前記撮影プロトコルの一方を、他方に合わせて修正するプロトコル修正部と、
を備える造影撮影支援装置。
【請求項１６】
被検体へ造影剤を投与する造影剤インジェクタと、前記被検体を撮影する画像診断装置とを有する画像診断システムであって、
前記画像診断装置は、
前記被検体の撮影にかかる撮影プロトコルと、前記被検体へ造影剤を投与する造影剤インジェクタにより設定された前記被検体への造影剤投与に関する造影プロトコルとが整合するか否かを判定する判定部と、
前記造影プロトコルと前記撮影プロトコルとが整合しないと判定された場合に、前記造影プロトコルと前記撮影プロトコルとが整合していない旨の情報を所定の出力部に出力させる出力制御部と、
を備える画像診断システム。
【請求項１７】
被検体へ造影剤を投与する造影剤インジェクタと、前記被検体を撮影する画像診断装置とを有する画像診断システムであって、
前記画像診断装置は、
前記被検体の撮影にかかる撮影プロトコルと、前記被検体へ造影剤を投与する造影剤インジェクタにより設定された前記被検体への造影剤投与に関する造影プロトコルとが整合するか否かを判定する判定部と、
前記造影プロトコルと前記撮影プロトコルとが整合しないと判定された場合に、前記造影プロトコル又は前記撮影プロトコルの一方を、他方に合わせて修正するプロトコル修正部と、
を備える画像診断システム。
【発明の詳細な説明】
【技術分野】
【０００１】
本発明の実施形態は、画像診断装置、造影剤インジェクタ、造影撮影支援装置および画像診断システムに関する。
【背景技術】
【０００２】
従来、超音波診断装置、Ｘ線ＣＴ（Computed  Tomography）装置、Ｘ線診断装置、磁気共鳴イメージング（ＭＲＩ）装置、核医学診断装置等の画像診断装置では、被検体を撮影した画像において臓器等の良好なコントラストを得るため、造影剤インジェクタにより被検体に造影剤を投与（注入）する検査方法がある。
【０００３】
この造影剤を投与する検査方法では、撮影するタイミングを決める方法として、ボーラストラッキングとテストボーラスとがある。ボーラストラッキングは一回の撮影で済むが、テストボーラスにおいては、造影剤のテスト投与及び撮影（テストスキャン）が行われた後に、造影剤の本投与及び本撮影が行われることから、二回の撮影が必要となる。
【０００４】
しかしながら、画像診断装置及び造影剤インジェクタともにテストボーラスのあるプロトコルと、テストボーラスのないプロトコルとを設定できることから、画像診断装置側の撮影プロトコルと、造影剤インジェクタ側の造影プロトコルとの整合性を確認する必要があり、不便であった。例えば、画像診断装置及び造影剤インジェクタともにテストボーラスのあるプロトコルを選択してから造影剤のテスト投与及び撮影が行われた後に、撮影プロトコルの変更を行う場合には、テストボーラスのある撮影プロトコルを選ぶと、造影剤の本投与を行う造影プロトコルと、造影剤のテスト投与についての撮影（テストスキャン）と本撮影とを行う撮影プロトコルとで食い違いが生じることとなる。このように、撮影プロトコル及び造影プロトコルについて整合性を保つように設定することは容易ではなかった。
【先行技術文献】
【特許文献】
【０００５】
【特許文献１】特開２００２−１７７２５２号公報
【発明の概要】
【発明が解決しようとする課題】
【０００６】
本発明が解決しようとする課題は、撮影プロトコルと造影プロトコルとの整合性を保つように容易に設定可能とする画像診断装置及び画像診断システムを提供することである。
【課題を解決するための手段】
【０００７】
実施形態の画像診断装置は、判定部と、出力制御部と、を備える。判定部は、被検体の撮影にかかる撮影プロトコルと、前記被検体へ造影剤を投与する造影剤インジェクタにより設定された前記被検体への造影剤投与に関する造影プロトコルとが整合するか否かを判定する。出力制御部は、前記造影プロトコルと前記撮影プロトコルとが整合しないと判定された場合に、前記造影プロトコルと前記撮影プロトコルとが整合していない旨の情報を所定の出力部に出力させる。
【図面の簡単な説明】
【０００８】
【図１】図１は、第１の実施形態にかかるＸ線ＣＴシステムの全体構成を示すブロック図である。
【図２】図２は、第１の実施形態にかかる造影剤インジェクタの詳細構成を例示するブロック図である。
【図３】図３は、Ｘ線ＣＴ装置の動作の一例を示すフローチャートである。
【図４】図４は、Ｘ線ＣＴ装置、造影剤インジェクタへの情報入力、Ｘ線ＣＴ装置と造影剤インジェクタとの通信を説明する図である。
【図５】図５は、造影プロトコル、撮影プロトコルの一例を示す説明図である。
【図６】図６は、撮影プロトコルの一例を示す説明図である。
【図７】図７は、表示画面の一例を示す説明図である。
【図８】図８は、撮影プロトコルの修正の一例を示す説明図である。
【図９】図９は、造影プロトコルの一例を示す説明図である。
【図１０】図１０は、表示画面の一例を示す説明図である。
【図１１】図１１は、造影プロトコルの修正の一例を示す説明図である。
【図１２】図１２は、造影プロトコルと撮影プロトコルとが整合しない場合を例示する説明図である。
【図１３】図１３は、表示画面の一例を示す説明図である。
【図１４】図１４は、造影プロトコルの修正の一例を示す説明図である。
【図１５】図１５は、第１の実施形態にかかるシステム制御部の構成例を示すブロック図である。
【図１６】図１６は、Ｘ線ＣＴ装置のスキャン処理動作の一例を示すフローチャートである。
【図１７】図１７は、第２の実施形態にかかる造影剤インジェクタの詳細構成を例示するブロック図である。
【図１８】図１８は、第３の実施形態にかかるＸ線ＣＴシステムの全体構成を示すブロック図である。
【発明を実施するための形態】
【０００９】
以下、添付図面を参照して、実施形態にかかる画像診断装置、造影剤インジェクタ、造影撮影支援装置および画像診断システムを詳細に説明する。なお、以下の説明において、同様の構成要素には共通の符号を付与するとともに、重複する説明を省略する。
【００１０】
画像診断装置は、例えば、超音波診断装置、Ｘ線ＣＴ装置、Ｘ線診断装置、磁気共鳴イメージング装置、核医学診断装置等であってよく、本実施形態では、Ｘ線ＣＴ装置を例に挙げて説明する。
【００１１】
（第１の実施形態）
図１は、第１の実施形態にかかるＸ線ＣＴシステムの全体構成を示すブロック図である。図１に示すように、Ｘ線ＣＴシステムは、Ｘ線ＣＴ装置１００と、造影剤インジェクタ２００とを備える。Ｘ線ＣＴ装置１００は、架台装置１０と、寝台装置２０と、コンソール装置３０とを備える。Ｘ線ＣＴ装置１００と、造影剤インジェクタ２００とは、コンソール装置３０に設けられた通信部３９を介して通信可能に接続される。
【００１２】
Ｘ線ＣＴ装置１００は、架台装置１０内に載置された被検体ＰにＸ線を照射してヘリカルスキャン、ステップアンドシュートスキャンなどを実行することで、被検体Ｐの断層撮影を行う。造影剤インジェクタ２００は、Ｘ線ＣＴ装置１００で断層撮影を行う際に、Ｘ線ＣＴ装置１００のスキャンに同期して被検体Ｐへ造影剤を投与する。具体的には、Ｘ線ＣＴ装置１００には、造影剤インジェクタ２００より造影剤を投与してスキャン（ヘリカルスキャン、ステップアンドシュートスキャンなど）を行う撮影プロトコル（撮影条件）を設定する。また、造影剤インジェクタ２００には、Ｘ線ＣＴ装置１００の撮影プロトコルに同期して造影剤を投与する造影プロトコル（注入プラン）を設定する。
【００１３】
ここで、撮影プロトコルは、線量、スキャン速度、スライス厚などのスキャン毎の設定の他、ヘリカルスキャン／ステップアンドシュートスキャンのみを行うフェーズ、テストスキャンとヘリカルスキャン／ステップアンドシュートスキャンとを行う撮影順序を示すフェーズが記述されたものである。また、造影プロトコルは、撮影プロトコルに同期して行う、造影剤、生理食塩水（生食）の投与順序を示すフェーズが記述されたものである。
【００１４】
この撮影プロトコル、造影プロトコルの設定により、Ｘ線ＣＴ装置１００は、造影剤インジェクタ２００による造影剤の投与と同期して動作することで、造影剤インジェクタ２００により投与された造影剤を利用して、良好なコントラストのＣＴ画像を得る。
【００１５】
架台装置１０は、被検体ＰにＸ線を照射して投影データを収集する装置である。架台装置１０は、高電圧発生部１１と、Ｘ線管１２と、Ｘ線検出器１３と、データ収集部１４と、回転フレーム１５と、架台駆動部１６とを有する。
【００１６】
高電圧発生部１１は、Ｘ線管１２に高電圧を供給する装置である。Ｘ線管１２は、高電圧発生部１１により供給される高電圧によりＸ線を発生する真空管である。
【００１７】
Ｘ線検出器１３は、被検体Ｐを透過したＸ線を検出する検出器である。具体的には、このＸ線検出器１３は、複数チャンネル分のＸ線検出素子からなる検出素子列をスライス方向（図１に示すＺ軸方向）に複数列（例えば、３２０列）配列することによって構成された多列の面検出器である。このＸ線検出器１３は、心臓や脳などの撮影対象部位を含む範囲など、広範囲に被検体Ｐを透過したＸ線を同時に検出することが可能である。
【００１８】
データ収集部１４は、Ｘ線検出器１３により検出されたＸ線を用いて投影データを生成する装置である。
【００１９】
回転フレーム１５は、高速でかつ連続的に回転する円環状のフレームであり、Ｘ線管１２とＸ線検出器１３とを被検体Ｐを挟んで対向するように支持している。架台駆動部１６は、回転フレーム１５を回転駆動させることによって、被検体Ｐを中心とした円軌道上でＸ線管１２およびＸ線検出器１３を旋回させる駆動装置である。
【００２０】
寝台装置２０は、被検体Ｐを載せる装置であり、天板２１と寝台駆動装置２２とを有する。天板２１は、撮影時に被検体Ｐが載置される板である。寝台駆動装置２２は、天板２１をスライス方向へ移動する装置である。
【００２１】
コンソール装置３０は、Ｘ線ＣＴ装置１００の操作に関する各種の指示を医師や技師などのユーザから受け付けるとともに、架台装置１０によって収集された投影データから画像を再構成する装置であり、入力装置３１と、表示装置３２と、スキャン制御部３３と、前処理部３４と、投影データ記憶部３５と、画像再構成処理部３６と、画像データ記憶部３７と、システム制御部３８と、通信部３９とを有する。
【００２２】
入力装置３１は、マウスやキーボードなどを有し、Ｘ線ＣＴ装置１００に対する指示をユーザから受け付ける装置である。例えば、この入力装置３１は、撮影前には、患者情報や撮影プロトコルの設定を受け付けたり、撮影された画像に対するＲＯＩ（Region  Of  Interest；関心領域）の設定を受け付けたりする。一方、撮影中には、入力装置３１は、実施中の撮影プロトコルを中止して、別の撮影プロトコルの設定・開始の指示を受け付けたりする。
【００２３】
ここでユーザによって設定される各撮影プロトコルには、例えば、ヘリカルスキャン、ステップアンドシュートスキャンなどのスキャンモードの他、造影剤インジェクタ２００による造影剤投与の有無、造影剤を投与する場合には撮影タイミングを決める方法などがある。
【００２４】
造影剤を投与する場合において撮影タイミングを決める方法は、ボーラストラッキングとテストボーラスがある。ボーラストラッキングが選ばれた場合には、造影剤の投与に対して一回の撮影を行う撮影プロトコルが設定される。テストボーラスが選ばれた場合には、造影剤のテスト投与に対する撮影（テストスキャン）と、その撮影により撮影タイミングを算出した後に、造影剤の本投与に対する本撮影とを行う撮影プロトコルが設定される。
【００２５】
表示装置３２は、ＬＣＤ（Liquid  Crystal  Display）などのディスプレイを有し、各種情報を表示する装置である。例えば、この表示装置３２は、後述する画像データ記憶部３７によって記憶された画像データや、ユーザから各種指示を受け付けるためのＧＵＩ（Graphical  User  Interface）などを表示する。
【００２６】
スキャン制御部３３は、後述するシステム制御部３８による制御のもと、システム制御部３８から指示された撮影プロトコルに基づいて高電圧発生部１１、データ収集部１４、架台駆動部１６および寝台駆動装置２２を駆動することによって、被検体ＰにＸ線を照射して、投影データを収集する処理部である。
【００２７】
前処理部３４は、データ収集部１４によって生成された投影データに対して感度補正などの前処理を行う処理部である。投影データ記憶部３５は、前処理部３４により前処理された投影データを記憶する記憶部である。画像再構成処理部３６は、後述するシステム制御部３８による制御のもと、投影データ記憶部３５により記憶された投影データから画像データを再構成する処理部である。画像データ記憶部３７は、画像再構成処理部３６によって再構成された画像データを記憶する記憶部である。
【００２８】
システム制御部３８は、架台装置１０、寝台装置２０およびコンソール装置３０の動作を制御することによって、Ｘ線ＣＴ装置１００の全体制御を行う処理部である。具体的には、システム制御部３８は、ＣＰＵ（Central  Processing  Unit）、ＲＯＭ（Read  Only  Memory）、ＲＡＭ（Random  Access  Memory）を備え、ＣＰＵがＲＯＭに記憶されたプログラムをＲＡＭに展開して順次実行するソフトウェア処理を行うことで、Ｘ線ＣＴ装置１００の制御を実現する。このシステム制御部３８は、各部を制御することによって、撮影プロトコルに基づいて被検体Ｐに連続的または間欠的にＸ線を照射し、被検体Ｐを透過したＸ線を検出して画像を再構成する。
【００２９】
この時、システム制御部３８のＲＡＭは、撮影プロトコルに従って撮影済みである事項を記憶する記憶部として機能する。例えば、システム制御部３８のＲＡＭは、造影剤のテスト投与に対するテストスキャンが終了した場合にテストスキャン済みであることを記憶する。より具体的には、システム制御部３８のＲＡＭは、テスト投与における検査種類（造影剤の種類及び造影剤を投与した被検体Ｐの部位）ごとに、テストスキャン済みであることを記憶する。
【００３０】
また、第１の実施形態にかかるシステム制御部３８は、図１５に示すように、設定部３８ａと、判定部３８ｂと、出力制御部３８ｃと、プロトコル修正部３８ｄとを有する。システム制御部３８が有する各部の詳細については図３を用いて後述する。なお、図１５は、第１の実施形態にかかるシステム制御部３８の構成例を示すブロック図である。
【００３１】
通信部３９は、システム制御部３８の制御のもと、通信ケーブル等を介して接続する造影剤インジェクタ２００との間で、ＣＡＮ（コントローラエリアネットワーク）等による通信を行う。具体的には、通信部３９は、ＣＡＮのＣｉＡ４２５の仕様に従って、造影剤インジェクタ２００との間での通信を行う。これにより、Ｘ線ＣＴ装置１００と造影剤インジェクタ２００との間では撮影や造影剤の投与開始時にかかる同期信号の送受信を行う。また、Ｘ線ＣＴ装置１００からは、造影剤インジェクタ２００の造影プロトコルの読み出しや、造影プロトコルの設定を行うこともできる。
【００３２】
図２は、造影剤インジェクタ２００の詳細構成を例示するブロック図である。図２に示すように、造影剤インジェクタ２００は、注入機構部２０１、操作部２０２、通信部２０３、メモリ２０４、制御部２０５及び出力部２０６を有している。
【００３３】
注入機構部２０１は、被検体Ｐに対して造影剤を投与するための機構を含む。この機構は、注入量、注入速度、あるいは注入圧などの諸条件を変化可能な動力源を含む。一般的な動力源は、モータである。なお、動力源は、空気圧または油圧等を可変するポンプなどであってよい。
【００３４】
操作部２０２は、ユーザによる操作により指示される患者情報および造影プロトコルなどの造影剤投与に関する入力情報を入力する。造影剤インジェクタ２００では、操作部２０２により入力された造影プロトコルなどの造影剤投与に関する入力情報が、制御部２０５の制御のもとでメモリ２０４に記憶され、設定される。
【００３５】
ここで、造影プロトコルには、ボーラストラッキング（一回の投与）又はテストボーラス（テスト投与と本投与の二回の投与）の他、検査種類、一回に注入する造影剤の注入量、注入速度などがある。検査種類には、被検体Ｐの部位の種類と、造影剤の種類とがある。部位の種類には、血管、尿路、頭部、腹部、関節などがある。また、Ｘ線撮影における造影剤の種類には、被検体Ｐの周辺組織よりＸ線減弱係数の大きな陽性造影剤（例えば硫酸バリウム、ヨード剤など）、被検体Ｐの周辺組織よりＸ線減弱係数の小さな陰性造影剤（例えば空気、酸素、二酸化炭素、窒素等の気体など）などがある。
【００３６】
出力部２０６は、ＬＣＤなどのディスプレイを有し、各種情報を表示する。例えば、この出力部２０６は、造影プロトコルなどの造影剤投与に関する入力情報などの各種指示をユーザから受け付けるためのＧＵＩやユーザから受け付けた造影プロトコルなどを表示する。
【００３７】
通信部２０３は、Ｘ線ＣＴ装置１００との間で同期して通信を行う。メモリ２０４は、操作部２０２が入力した入力情報や通信部２０３が受信した情報を記憶する。
【００３８】
制御部２０５は、造影剤インジェクタ２００の動作を制御する。具体的には、制御部２０５は、ＣＰＵ、ＲＯＭ、ＲＡＭを備え、ＣＰＵがＲＯＭに記憶されたプログラムをＲＡＭに展開して順次実行するソフトウェア処理を行うことで、造影剤インジェクタ２００の制御を実現する。より具体的には、制御部２０５は、メモリ２０４に記憶された造影プロトコルに従って造影剤の投与を実行するように、Ｘ線ＣＴ装置１００との同期、注入機構部２０１による被検体Ｐへの造影剤の注入などを制御する。また、制御部２０５は、図２に示すように設定部２０５ａを有する。この設定部２０５ａは、操作部２０２により入力された造影プロトコルなどの造影剤投与に関する入力情報をメモリ２０４に設定する。
【００３９】
図３は、Ｘ線ＣＴ装置１００の動作の一例を示すフローチャートである。図３に示すように、処理が開始されると、Ｘ線ＣＴ装置１００では、患者情報の入力を入力装置３１より受け付ける（Ｓ１）。
【００４０】
次いで、Ｘ線ＣＴ装置１００では、撮影プロトコルを入力装置３１より受け付けて、撮影プロトコルの設定を行う（Ｓ２）。ここで、システム制御部３８の設定部３８ａは、入力装置３１より受け付けた被検体Ｐの撮影にかかる撮影プロトコルを設定する。例えば、システム制御部３８の設定部３８ａは、システム制御部３８のＲＡＭに撮影プロトコルを記憶させる。なお、この撮影プロトコルの設定については、予めＲＯＭなどに設定された複数の撮影プロトコルの中から一つの撮影プロトコルを選択してもよい。かかる場合、設定部３８ａは、選択された撮影プロトコルをシステム制御部３８のＲＡＭに記憶させる。
【００４１】
この時、造影剤を利用した撮影を行う場合には、撮影タイミングを決める方法として、ボーラストラッキング又はテストボーラスのいずれかの撮影プロトコルが設定されることとなる。また、造影剤インジェクタ２００の設定部２０５ａは、造影プロトコルを操作部２０２より受け付けて設定する。言い換えると、造影剤インジェクタ２００の設定部２０５ａは、被検体Ｐへの造影剤投与に関する造影プロトコルを設定する。この造影プロトコルの設定については、予めＲＯＭなどに設定された複数の造影プロトコルの中から一つの造影プロトコルを選択してもよい。
【００４２】
図４は、Ｘ線ＣＴ装置１００、造影剤インジェクタ２００への情報入力、Ｘ線ＣＴ装置１００と造影剤インジェクタ２００との通信を説明する図である。図４に示すように、造影剤を利用した撮影を行う場合、技師Ｈ（ユーザ）は、注入量を算出する際に参照するための患者体重などを含む入力情報Ｉ１と、造影プロトコル及び注入開始指示を含む入力情報Ｉ２とを造影剤インジェクタ２００に入力する。また、技師Ｈは、ＩＤ、氏名、年齢、体重、身長などの患者情報、撮影プロトコル、撮影開始指示を含む入力情報Ｉ３をＸ線ＣＴ装置１００へ入力する。注入開始指示、撮影開始指示の入力を受けて、Ｘ線ＣＴ装置１００と造影剤インジェクタ２００とは、撮影・注入開始の同期信号などの通信Ｃ１を行うことで、造影剤の投与に同期した断層撮影を開始する。
【００４３】
次いで、Ｘ線ＣＴ装置１００では、通信部３９により造影剤インジェクタ２００との間で通信を行う（Ｓ３）。この通信により、Ｘ線ＣＴ装置１００は、造影剤インジェクタ２００に設定された造影プロトコルを読み出して取得する。
【００４４】
次いで、システム制御部３８の判定部３８ｂは、スキャン処理を実行する（Ｓ１３）。図１６を用いて、Ｘ線ＣＴ装置１００のスキャン処理動作を説明する。図１６は、Ｘ線ＣＴ装置１００のスキャン処理動作の一例を示すフローチャートである。なお、図１６に示す処理手順は、図３に示すＳ１３のスキャン処理に対応する。
【００４５】
図１６に示すように、システム制御部３８の判定部３８ｂは、撮影プロトコルと造影プロトコルとを比較する（Ｓ１００）。Ｓ１０１において、システム制御部３８の判定部３８ｂは、設定された造影プロトコルにおけるテスト投与の有無と、設定された撮影プロトコルにおけるテスト投与に対応したテストスキャンの有無とをもとに、設定された撮影プロトコルと、造影プロトコルとの間で整合性がとれているか否かを判定する。言い換えると、システム制御部３８の判定部３８ｂは、通信部３９により取得した造影剤インジェクタの造影プロトコルと、設定された撮影プロトコルとが整合するか否かを判定する。
【００４６】
具体的には、システム制御部３８の判定部３８ｂは、造影剤インジェクタ２００に設定された造影プロトコルにおけるテスト投与の有無と、Ｘ線ＣＴ装置１００に設定された撮影プロトコルのテストスキャンの有無とが、検査種類（造影剤の種類及び造影剤を投与する被検体Ｐの部位）を含めて一致する場合に整合性がとれているもの（ＹＥＳ）と判定する。逆に、システム制御部３８の判定部３８ｂは、テスト投与がある造影プロトコルが造影剤インジェクタ２００に設定されているのに対し、そのテスト投与に対応したテストスキャン（造影剤の種類及び造影剤を投与する被検体Ｐの部位が一致するテストスキャン）がない撮影プロトコルがＸ線ＣＴ装置１００に設定されている場合には、設定された撮影プロトコルと、造影プロトコルとの間で整合性がとれていないもの（ＮＯ）と判定する。また、システム制御部３８の判定部３８ｂは、テストスキャンがある撮影プロトコルがＸ線ＣＴ装置１００に設定されているのに対し、そのテストスキャンに対応したテスト投与がない造影プロトコルが造影剤インジェクタ２００に設定されている場合には、設定された撮影プロトコルと、造影プロトコルとの間で整合性がとれていないもの（ＮＯ）と判定する。
【００４７】
設定された撮影プロトコルと、造影プロトコルとの間で整合性がとれている（Ｓ１０１：ＹＥＳ）場合、システム制御部３８はＳ１２１へ処理を進める。設定された撮影プロトコルと、造影プロトコルとの間で整合性がとれていない場合（Ｓ１０１：ＮＯ）、システム制御部３８の判定部３８ｂは、撮影プロトコルに従って撮影済みである事項を記憶するＲＡＭの記憶内容をもとに、テストスキャン済みであるか否かを判定する（Ｓ１０２）。
【００４８】
より具体的には、システム制御部３８のＲＡＭには、テスト投与における検査種類（造影剤の種類及び造影剤を投与した被検体Ｐの部位）ごとに、テストスキャン済みであることが記憶されることから、Ｓ１０２では、設定された造影プロトコルのテスト投与、又は設定された撮影プロトコルのテストスキャンについて、造影剤の種類及び造影剤を投与する部位の条件が同一であるテストスキャンが済みであるか否かを判定する。
【００４９】
そして、システム制御部３８の判定部３８ｂによって、テストスキャン済みであると判定された場合（Ｓ１０２：ＹＥＳ）、システム制御部３８の出力制御部３８ｃは、撮影プロトコルと、造影プロトコルとの間で整合性が取れていないことを表示装置３２に表示させ、ユーザに通知する（Ｓ１０３）。言い換えると、出力制御部３８ｃは、造影プロトコルと撮影プロトコルとが整合しないと判定された場合に、造影プロトコルと撮影プロトコルとが整合していない旨の情報を表示装置３２に出力させる。
【００５０】
Ｓ１０３に次いで、システム制御部３８のプロトコル修正部３８ｄは、撮影プロトコルと、造影プロトコルとの間の整合性をとるため、撮影プロトコル又は造影プロトコルの一方を、他方に合わせて修正する（Ｓ１０４）。言い換えると、プロトコル修正部３８ｄは、造影プロトコルと撮影プロトコルとが整合しないと判定された場合に、造影プロトコル又は撮影プロトコルの一方を、他方に合わせて修正する。具体的には、システム制御部３８のプロトコル修正部３８ｄは、撮影プロトコルと、造影プロトコルとの間で整合性が取れていないことをユーザに通知後に、入力装置３１より撮影プロトコル又は造影プロトコルの修正指示を受け付けた場合、撮影プロトコルのテストスキャンの有無と、造影プロトコルのテスト投与の有無とが、検査種類（造影剤の種類及び造影剤を投与する被検体Ｐの部位）を含めて一致するように、一方のプロトコルを他方に合わせる修正をする。一例をあげると、プロトコル修正部３８ｄは、造影プロトコルと撮影プロトコルとが整合せず、かつ、テストスキャンを実施済みである場合、一方のプロトコルからテストスキャンを削除する。ここで、プロトコル修正部３８ｄが、造影剤インジェクタ２００に設定された造影プロトコルを修正した場合、造影剤インジェクタ２００の設定部２０５ａは、修正された造影プロトコルをメモリ２０４に設定する。一方、プロトコル修正部３８ｄが、Ｘ線ＣＴ装置１００に設定された撮影プロトコルを修正した場合、Ｘ線ＣＴ装置１００の設定部３８ａは、修正された撮影プロトコルをシステム制御部３８のＲＡＭに設定する。
【００５１】
続いて、システム制御部３８は、造影剤インジェクタ２００と同期し（Ｓ１０５）、メインスキャンをスキャン制御部３３に指示する（Ｓ１０６）。例えば、システム制御部３８は、システム制御部３８のＲＡＭに記憶した撮影プロトコルをスキャン制御部３３に指示する。これにより、スキャン制御部３３は、設定された撮影プロトコルに基づいて、撮影データを収集する。ここで、スキャン制御部３３は、Ｓ１０４において撮影プロトコル又は造影プロトコルの一方が修正された場合、修正後の撮影プロトコルに基づいて、撮影データを収集する。例えば、Ｓ１０４において撮影プロトコルが修正された場合、スキャン制御部３３は、撮影プロトコルを造影プロトコルに合わせて修正した修正後の撮影プロトコルに基づいて、撮影データを収集する。なお、Ｓ１０６の終了後、システム制御部３８は、スキャン処理を終了して、図３に示すＳ１４に移行する。
【００５２】
一方、システム制御部３８の判定部３８ｂによって、テストスキャン済みであると判定されなかった場合（Ｓ１０２：ＮＯ）、システム制御部３８の出力制御部３８ｃは、撮影プロトコルと、造影プロトコルとの間で整合性が取れていないことを表示装置３２に表示させ、ユーザに通知する（Ｓ１０７）。言い換えると、出力制御部３８ｃは、造影プロトコルと撮影プロトコルとが整合しないと判定された場合に、造影プロトコルと撮影プロトコルとが整合していない旨の情報を表示装置３２に出力させる。
【００５３】
Ｓ１０７に次いで、システム制御部３８のプロトコル修正部３８ｄは、撮影プロトコルと、造影プロトコルとの間の整合性をとるため、撮影プロトコル又は造影プロトコルの一方を、他方に合わせて修正する（Ｓ１０８）。言い換えると、プロトコル修正部３８ｄは、造影プロトコルと撮影プロトコルとが整合しないと判定された場合に、造影プロトコル又は撮影プロトコルの一方を、他方に合わせて修正する。具体的には、システム制御部３８のプロトコル修正部３８ｄは、撮影プロトコルと、造影プロトコルとの間で整合性が取れていないことをユーザに通知後に、入力装置３１より撮影プロトコル又は造影プロトコルの修正指示を受け付けた場合、撮影プロトコルのテストスキャンの有無と、造影プロトコルのテスト投与の有無とが、検査種類（造影剤の種類及び造影剤を投与する被検体Ｐの部位）を含めて一致するように、一方のプロトコルを他方に合わせる修正をする。一例をあげると、プロトコル修正部３８ｄは、造影プロトコルと撮影プロトコルとが整合せず、かつ、テストスキャンを実施済みではない場合、一方のプロトコルからメインスキャンを削除する。ここで、プロトコル修正部３８ｄが、造影剤インジェクタ２００に設定された造影プロトコルを修正した場合、造影剤インジェクタ２００の設定部２０５ａは、修正された造影プロトコルをメモリ２０４に設定する。一方、プロトコル修正部３８ｄが、Ｘ線ＣＴ装置１００に設定された撮影プロトコルを修正した場合、Ｘ線ＣＴ装置１００の設定部３８ａは、修正された撮影プロトコルをシステム制御部３８のＲＡＭに設定する。
【００５４】
システム制御部３８は、造影剤インジェクタ２００と同期し（Ｓ１０９）、テストスキャンをスキャン制御部３３に指示する（Ｓ１１０）。これにより、スキャン制御部３３は、撮影プロトコルに基づいてテストスキャンを実施する。続いて、システム制御部３８は、テストスキャンが行われたこと（テストスキャン済み）をシステム制御部３８のＲＡＭに記憶する（Ｓ１１１）。なお、Ｓ１１１の終了後、システム制御部３８は、スキャン処理を終了して、図３に示すＳ１４に移行する。
【００５５】
設定された撮影プロトコルと、造影プロトコルとの間で整合性がとれている場合（Ｓ１０１：ＹＥＳ）、システム制御部３８の判定部３８ｂは、撮影プロトコル及び造影プロトコルがテストスキャンとメインスキャンとを含むか否かを判定する（Ｓ１２１）。ここで、システム制御部３８の判定部３８ｂは、撮影プロトコル及び造影プロトコルがテストスキャンとメインスキャンとを含むと判定した場合（Ｓ１２１：ＹＥＳ）、テストスキャン済みであるか否かを判定する（Ｓ１２２）。そして、システム制御部３８の判定部３８ｂによって、テストスキャン済みであると判定された場合（Ｓ１２２：ＹＥＳ）、システム制御部３８は、Ｓ１２６に移行する。
【００５６】
一方、システム制御部３８の判定部３８ｂによって、テストスキャン済みであると判定されなかった場合（Ｓ１２２：ＮＯ）、システム制御部３８は、造影剤インジェクタ２００と同期し（Ｓ１２３）、テストスキャンをスキャン制御部３３に指示する（Ｓ１２４）。これにより、スキャン制御部３３は、撮影プロトコルに基づいてテストスキャンを実施する。続いて、システム制御部３８は、テストスキャンが行われたこと（テストスキャン済み）をシステム制御部３８のＲＡＭに記憶する（Ｓ１２５）。
【００５７】
続いて、システム制御部３８は、造影剤インジェクタ２００と同期し（Ｓ１２６）、メインスキャンをスキャン制御部３３に指示する（Ｓ１２７）。例えば、システム制御部３８は、システム制御部３８のＲＡＭに記憶した撮影プロトコルをスキャン制御部３３に指示する。これにより、スキャン制御部３３は、設定された撮影プロトコルに基づいて、撮影データを収集する。なお、Ｓ１２７の終了後、システム制御部３８は、スキャン処理を終了して、図３に示すＳ１４に移行する。
【００５８】
また、Ｓ１２１において、システム制御部３８の判定部３８ｂは、撮影プロトコル及び造影プロトコルがテストスキャンとメインスキャンとを含むと判定しなかった場合（Ｓ１２１：ＮＯ）、撮影プロトコル及び造影プロトコルがテストスキャンのみであるか否かを判定する（Ｓ１２８）。ここで、システム制御部３８の判定部３８ｂは、撮影プロトコル及び造影プロトコルがテストスキャンのみであると判定した場合（Ｓ１２８：ＹＥＳ）、テストスキャン済みであるか否かを判定する（Ｓ１２９）。
【００５９】
そして、システム制御部３８の判定部３８ｂによって、テストスキャン済みであると判定されなかった場合（Ｓ１２９：ＮＯ）、システム制御部３８は、造影剤インジェクタ２００と同期し（Ｓ１３０）、テストスキャンをスキャン制御部３３に指示する（Ｓ１３１）。これにより、スキャン制御部３３は、撮影プロトコルに基づいてテストスキャンを実施する。続いて、システム制御部３８は、テストスキャンが行われたこと（テストスキャン済み）をシステム制御部３８のＲＡＭに記憶する（Ｓ１３２）。なお、Ｓ１３２の終了後、システム制御部３８は、スキャン処理を終了して、図３に示すＳ１４に移行する。
【００６０】
一方、システム制御部３８の判定部３８ｂによって、テストスキャン済みであると判定された場合（Ｓ１２９：ＹＥＳ）、システム制御部３８の出力制御部３８ｃは、テストスキャンを実施済みであるのにテストスキャンが選択されたことを示すエラー表示を表示装置３２に表示させる（Ｓ１３３）。なお、Ｓ１３３の終了後、システム制御部３８は、スキャン処理を終了して、図３に示すＳ１４に移行する。
【００６１】
また、Ｓ１２８において、システム制御部３８の判定部３８ｂは、撮影プロトコル及び造影プロトコルがテストスキャンのみであると判定しなかった場合（Ｓ１２８：ＮＯ）、撮影プロトコル及び造影プロトコルがメインスキャンのみであるか否かを判定する（Ｓ１３４）。ここで、システム制御部３８の判定部３８ｂは、撮影プロトコル及び造影プロトコルがメインスキャンのみであると判定した場合（Ｓ１３４：ＹＥＳ）、テストスキャン済みであるか否かを判定する（Ｓ１３５）。
【００６２】
そして、システム制御部３８の判定部３８ｂによって、テストスキャン済みであると判定されなかった場合（Ｓ１３５：ＮＯ）、システム制御部３８の出力制御部３８ｃは、メインスキャンを実施するためのテストスキャンを実施済みではないことを示すエラー表示を表示装置３２に表示させる（Ｓ１３６）。なお、Ｓ１３６の終了後、システム制御部３８は、スキャン処理を終了して、図３に示すＳ１４に移行する。
【００６３】
一方、システム制御部３８の判定部３８ｂによって、テストスキャン済みであると判定された場合（Ｓ１３５：ＹＥＳ）、システム制御部３８は、造影剤インジェクタ２００と同期し（Ｓ１３７）、メインスキャンをスキャン制御部３３に指示する（Ｓ１３８）。これにより、スキャン制御部３３は、Ｓ１２７と同様に、設定された撮影プロトコルに基づいて、撮影データを収集する。なお、Ｓ１３８の終了後、システム制御部３８は、スキャン処理を終了して、図３に示すＳ１４に移行する。
【００６４】
また、Ｓ１３４において、システム制御部３８の判定部３８ｂは、撮影プロトコル及び造影プロトコルがメインスキャンのみであると判定しなかった場合（Ｓ１３４：ＮＯ）、スキャン処理を終了して、図３に示すＳ１４に移行する。
【００６５】
図３に戻る。Ｓ１３に次いで、システム制御部３８は、入力装置３１による終了指示の有無などをもとに、被検体Ｐについての撮影を終了するか否かを判定する（Ｓ１４）。撮影を終了しない場合（Ｓ１４：ＮＯ）、被検体Ｐの撮影が継続されることから、システム制御部３８はＳ２へ処理を戻す。撮影を終了する場合（Ｓ１４：ＹＥＳ）、被検体Ｐの撮影が終了となることから、テストスキャン（テストボーラス）に関するＲＡＭの記憶を消去し（Ｓ１５）、処理を終了する。これにより、一人の被検体Ｐについて撮影が継続される間でのみ、テストスキャン済みについての記憶が保持されることとなる。
【００６６】
ここで、造影プロトコル、撮影プロトコルについて幾つかのケースを例示しながら上述したフローチャートによるＸ線ＣＴ装置１００の動作を説明する。図５は、造影プロトコルＰ１、撮影プロトコルＰ２の一例を示す説明図である。図５に示すように、造影プロトコルＰ１は、造影剤のテスト投与を含むテストボーラスありのプロトコルの一例である。撮影プロトコルＰ２は、造影剤を投与してヘリカルスキャンを行うとともに、撮影タイミングを決める方法がテストボーラスである（テストスキャン有り）のプロトコルの一例である。ここで、造影剤インジェクタ２００に造影プロトコルＰ１が設定され、Ｘ線ＣＴ装置１００に撮影プロトコルＰ２が設定されているものとする。この場合、Ｓ１０１において、判定部３８ｂは、造影プロトコルＰ１と撮影プロトコルＰ２とで互いに整合性がとれていると判定する。
【００６７】
図６は、撮影プロトコルＰ２１の一例を示す説明図である。撮影プロトコルＰ２１は、造影剤を投与してステップアンドシュートスキャンを行うとともに、撮影タイミングを決める方法がテストボーラスである（テストスキャン有り）のプロトコルの一例である。
【００６８】
ここで、図５に例示した造影プロトコルＰ１と撮影プロトコルＰ２との設定が行われて、テストスキャンが行われた後に、実施中の撮影プロトコルＰ２を中止して、撮影プロトコルＰ２１の設定・開始の指示をＸ線ＣＴ装置１００が受け付けたものとする。すなわち、テストスキャン後において、ユーザがヘリカルスキャンからステップアンドシュートスキャンへの変更を行ったものとする。この場合、テストスキャン済みであるのにテストスキャン有り（黒墨で示されたフェーズ）の撮影プロトコルＰ２１が設定されたことから、Ｓ１０２：ＹＥＳを経て警告表示（Ｓ１０３）が行われることとなる。
【００６９】
図７は、表示画面Ｇの一例を示す説明図である。撮影プロトコルＰ２から撮影プロトコルＰ２１へ変更された場合、図７に示すように、表示装置３２における表示画面Ｇには、テストスキャン済みであるのに、テストスキャンを含む撮影プロトコルＰ２１が選択されたことを示す警告表示Ｇ１が表示される（Ｓ１０３）。したがって、ユーザは、テストスキャン後であるのにテストスキャンを含む撮影プロトコルＰ２１が選択され、造影剤の本投与を行う造影プロトコルＰ１との間で食い違い（不整合）が生じていることを容易に確認できる。このため、ユーザは、撮影プロトコルと造影プロトコルとに不整合がある場合であっても、容易に整合性を保つように設定し直すことができる。
【００７０】
図８は、撮影プロトコルＰ２１の修正の一例を示す説明図である。警告表示Ｇ１後に入力装置３１より修正指示を受け付けた場合、図８に示すように、テストスキャンを含む撮影プロトコルＰ２１をテストスキャンを含まない撮影プロトコルＰ２２へ、Ｓ１０４において修正する。なお、この修正では、テストスキャンを含む撮影プロトコルＰ２１のまま、開始位置をテストスキャン後に修正（図８の黒墨で示されたフェーズの次のフェーズに開始位置を修正）してもよい。これにより、ユーザは、実施中の撮影プロトコルＰ２を中止して、別の撮影プロトコルを設定する場合であっても、造影プロトコルＰ１との整合性のとれた撮影プロトコルを容易に設定できる。
【００７１】
図９は、造影プロトコルＰ１１の一例を示す説明図である。造影プロトコルＰ１１は、造影剤のテスト投与を含むテストボーラスありのプロトコルの一例である。ここで、図５に例示した造影プロトコルＰ１と撮影プロトコルＰ２との設定が行われて、テストスキャンが行われた後に、実施中の撮影プロトコルＰ２を中止して、造影プロトコルＰ１１の設定・開始の指示を造影剤インジェクタ２００が受け付けたものとする。
【００７２】
この場合、テストスキャン後において、ユーザがテストスキャン済み（テスト投与済み）であるのにテスト投与（黒墨で示されたフェーズ）を含む造影プロトコルＰ１１が設定されたことから、Ｓ１０２：ＹＥＳを経て警告表示（Ｓ１０３）が行われることとなる。
【００７３】
図１０は、表示画面Ｇの一例を示す説明図である。造影プロトコルＰ１から造影プロトコルＰ１１へ変更された場合、図１０に示すように、表示装置３２における表示画面Ｇには、テストスキャン済みであるのに、テストボーラスの撮影プロトコルＰ２１が選択されたことを示す警告表示Ｇ２が表示される（Ｓ１０３）。したがって、ユーザは、テストスキャン後であるのにテストボーラスの造影プロトコルＰ１１が選択され、造影剤の本投与に対する本撮影を行う撮影プロトコルＰ２との間で食い違い（不整合）が生じていることを容易に確認できる。このため、ユーザは、撮影プロトコルと造影プロトコルとに不整合がある場合であっても、容易に整合性を保つように設定し直すことができる。
【００７４】
図１１は、造影プロトコルＰ１１の修正の一例を示す説明図である。警告表示Ｇ２後に入力装置３１より修正指示を受け付けた場合、図１１に示すように、プロトコル修正部３８ｄは、テスト投与を含む造影プロトコルＰ１１をテスト投与を含まない造影プロトコルＰ１２へ、Ｓ１０４において修正する。なお、この修正では、テスト投与を含む造影プロトコルＰ１１のまま、開始位置をテスト投与後に修正（図１１の黒墨で示されたフェーズの次のフェーズに開始位置を修正）してもよい。これにより、ユーザは、実施中の撮影プロトコルＰ２を中止して、別の造影プロトコルを設定する場合であっても、撮影プロトコルＰ２との整合性のとれた造影プロトコルを容易に設定できる。
【００７５】
図１２は、造影プロトコルＰ３と撮影プロトコルＰ４とが整合しない場合を例示する説明図である。図１２に示すように、造影プロトコルＰ３は、造影剤のテスト投与を含むテストボーラスありのプロトコルの一例である。撮影プロトコルＰ４は、造影剤の投与無しでヘリカルスキャンを行うプロトコルの一例である。この造影プロトコルＰ３と撮影プロトコルＰ４とは、並べてみると明らかなとおり、テスト投与の有無と、テストスキャンの有無との違いから互いに整合性がとれていない。ここで、造影剤インジェクタ２００に造影プロトコルＰ３が設定され、Ｘ線ＣＴ装置１００に撮影プロトコルＰ４が設定されているものとする。この場合、Ｓ１０１において、判定部３８ｂは、造影プロトコルＰ３と撮影プロトコルＰ４とで互いに整合性がとれていないと判定する。また、テストスキャン済みではないことから、Ｓ１０２：ＮＯとしてＳ１０７の処理が行われることとなる。
【００７６】
図１３は、表示画面Ｇの一例を示す説明図である。造影プロトコルＰ３と撮影プロトコルＰ４とのように互いに整合性がとれていない場合、図１３に示すように、表示装置３２における表示画面Ｇには、互いに整合性がとれていないことを示す警告表示Ｇ３がＳ１０７で表示される。したがって、ユーザは、造影プロトコルＰ３と撮影プロトコルＰ４との間で食い違い（不整合）が生じていることを容易に確認できる。このため、ユーザは、造影プロトコルＰ３と撮影プロトコルＰ４とに不整合がある場合であっても、容易に整合性を保つように設定し直すことができる。
【００７７】
図１４は、造影プロトコルの修正の一例を示す説明図である。警告表示Ｇ３後に入力装置３１より修正指示を受け付けた場合、図１４に示すように、Ｘ線ＣＴ装置１００は、テスト投与を含まない造影プロトコルＰ３１を造影剤インジェクタ２００へ送って、造影剤インジェクタ２００の設定を修正する。なお、図示例ではテスト投与を含まない造影プロトコルＰ３１への修正を例示したが、テストスキャンを含む撮影プロトコルへの修正であってもよいことは言うまでもないことである。これにより、ユーザは、造影プロトコルＰ３と撮影プロトコルＰ４とに不整合がある場合であっても、容易に整合性のとれた設定に修正できる。
【００７８】
以上のように、第１の実施形態にかかるＸ線ＣＴシステムでは、Ｘ線ＣＴ装置１００及び造影剤インジェクタ２００ともにテストボーラスのあるプロトコルと、テストボーラスのないプロトコルとを設定できる場合であっても、ユーザはテストボーラスの有無についての整合性を悩むことなく、整合性を保つように容易に設定できる。例えば、Ｘ線ＣＴ装置１００側では、テストボーラスを行う撮影プロトコルのみを設定したとしても、造影剤インジェクタ２００側でテストボーラスなしの造影プロトコルが設定された場合にはテストスキャンなしの撮影プロトコルに修正され、整合性が保たれることとなる。したがって、Ｘ線ＣＴ装置１００側において、テストボーラスの有無を使い分ける必要がなく（テストボーラスあり・なしの両方の撮影プロトコル、造影プロトコルを用意する必要がなく）、操作性を向上することができる。
【００７９】
また、第１の実施形態では、設定された撮影プロトコルと造影プロトコルとの間で整合性がとれていない場合、システム制御部３８が、造影プロトコルと撮影プロトコルとが整合していない旨の情報を表示装置３２に表示させるものとして説明したが、実施形態はこれに限定されるものではない。例えば、システム制御部３８は、造影剤インジェクタ２００が有する出力部２０６に、造影プロトコルと撮影プロトコルとが整合していない旨の情報を出力させてもよい。かかる場合、システム制御部３８は、造影プロトコルと撮影プロトコルとが整合していない旨の情報を生成し、通信部３９を介して造影剤インジェクタ２００に生成した情報を送信する。そして、造影剤インジェクタ２００の制御部２０５は、システム制御部３８から通信部２０３を介して受信した情報を出力部２０６に表示させる。
【００８０】
また、上述した実施形態では、警告表示（Ｓ１０３）や整合性がとれていないことを示す表示（Ｓ１０７）を行った後に、入力装置３１より修正指示を受け付けた場合に撮影プロトコル又は造影プロトコルを修正する構成（Ｓ１０４、Ｓ１０８）を例示した。しかしながら、警告表示（Ｓ１０３）や整合性がとれていないことを示す表示（Ｓ１０７）を経ることなく、そのまま撮影プロトコル又は造影プロトコルを修正する構成（Ｓ１０４、Ｓ１０８）であってもよい。具体的には、システム制御部３８は、特に警告表示（Ｓ１０３）や整合性がとれていないことを示す表示（Ｓ１０７）を行わずに、コンソール装置３０より修正指示を受けることなく、撮影プロトコル又は造影プロトコルを自動的に修正してもよい。この場合は、ユーザによる確認や修正指示の操作などを経ることなく、より容易に撮影プロトコル又は造影プロトコルを修正することができる。
【００８１】
（第２の実施形態）
上述した第１の実施形態では、Ｘ線ＣＴシステムにおいてＸ線ＣＴ装置１００が、造影プロトコルと撮影プロトコルとが整合するか否かを判定する場合について説明した。ところで、造影プロトコルと撮影プロトコルとが整合するか否かを判定する処理は、Ｘ線ＣＴ装置１００以外で実施されてもよいものである。そこで、第２の実施形態では、Ｘ線ＣＴシステムにおいて造影剤インジェクタが、造影プロトコルと撮影プロトコルとが整合するか否かを判定する場合について説明する。
【００８２】
第２の実施形態にかかるＸ線ＣＴシステムの構成は、造影剤インジェクタにおいて制御部の構成が異なる点を除いて、図１に示した第１の実施形態にかかるＸ線ＣＴシステムの構成と同様である。このため、第２の実施形態では、造影剤インジェクタの構成についてのみ説明する。なお、第２の実施形態では、Ｘ線ＣＴ装置１００のシステム制御部３８は、判定部３８ｂと出力制御部３８ｃとプロトコル修正部３８ｄとの機能を使用しない、或いは、判定部３８ｂと出力制御部３８ｃとプロトコル修正部３８ｄとを有さずに構成される。図１７は、第２の実施形態にかかる造影剤インジェクタ３００の詳細構成を例示するブロック図である。
【００８３】
図１７に示すように、第２の実施形態にかかる造影剤インジェクタ３００は、注入機構部２０１、操作部２０２、通信部２０３、メモリ２０４、出力部２０６及び制御部３０５を有する。なお、図１７に示す各部において、図２に示す各部と同様の機能を有する場合には、同一の符号を付与し詳細な説明を省略する。なお、通信部２０３は、制御部３０５の制御のもと、通信ケーブル等を介して接続するＸ線ＣＴ装置１００との間で、ＣＡＮ等による通信を行う。具体的には、通信部２０３は、ＣＡＮのＣｉＡ４２５の仕様に従って、Ｘ線ＣＴ装置１００との間での通信を行う。これにより、Ｘ線ＣＴ装置１００と造影剤インジェクタ３００との間では撮影や造影剤の投与開始時にかかる同期信号の送受信を行う。また、造影剤インジェクタ３００からは、Ｘ線ＣＴ装置１００の撮影プロトコルの読み出しや、撮影プロトコルの設定を行うこともできる。
【００８４】
制御部３０５は、図１７に示すように、設定部２０５ａと、判定部３０５ｂと、出力制御部３０５ｃと、プロトコル修正部３０５ｄとを有する。設定部２０５ａは、第１の実施形態にかかる造影剤インジェクタ２００が有する設定部２０５ａと同様に、被検体Ｐへの造影剤投与に関する造影プロトコルを設定する。
【００８５】
判定部３０５ｂは、判定部３８ｂと同様の機能を有する。すなわち、判定部３０５ｂは、図１６のステップＳ１０２と同様に、テストスキャン済みであるのにテスト投与を行う造影プロトコルやテストスキャンを行う撮影プロトコルが設定されているか否かを判定する。また、判定部３０５ｂは、図１６のステップＳ１０１における判定部３８ｂの処理と同様に、通信部２０３により取得したＸ線ＣＴ装置の撮影プロトコルと、設定された造影プロトコルとが整合するか否かを判定する。
【００８６】
出力制御部３０５ｃは、出力制御部３８ｃと同様の機能を有する。すなわち、出力制御部３０５ｃは、図１６のステップＳ１０３と同様に、テストスキャン済みであるのにテスト投与を行う造影プロトコルやテストスキャンを行う撮影プロトコルが設定されている場合に、出力部２０６に警告表示させる。また、出力制御部３０５ｃは、図１６のステップＳ１０７における出力制御部３８ｃの処理と同様に、造影プロトコルと撮影プロトコルとが整合しないと判定された場合に、造影プロトコルと撮影プロトコルとが整合していない旨の情報を出力部２０６に表示させる。
【００８７】
プロトコル修正部３０５ｄは、プロトコル修正部３８ｄと同様の機能を有する。すなわち、プロトコル修正部３０５ｄは、図１６のステップＳ１０４と同様に、テストスキャンを含む撮影プロトコル又は造影プロトコルを、テストスキャンを含まない撮影プロトコル又は造影プロトコルに修正する。また、プロトコル修正部３０５ｄは、図１６のステップＳ１０８におけるプロトコル修正部３８ｄの処理と同様に、造影プロトコルと撮影プロトコルとが整合しないと判定された場合に、造影プロトコル又は撮影プロトコルの一方を、他方に合わせて修正する。ここで、プロトコル修正部３０５ｄが、Ｘ線ＣＴ装置１００に設定された撮影プロトコルを修正した場合、Ｘ線ＣＴ装置１００の設定部３８ａは、修正された撮影プロトコルをシステム制御部３８のＲＡＭに設定する。一方、プロトコル修正部３０５ｄが、造影剤インジェクタ３００に設定された造影プロトコルを修正した場合、造影剤インジェクタ３００の設定部２０５ａは、修正された造影プロトコルをメモリ２０４に設定する。
【００８８】
以上のように、第２の実施形態にかかるＸ線ＣＴシステムでは、造影剤インジェクタ３００が、造影プロトコルと撮影プロトコルとが整合しているか否かを判定する。これにより、第２の実施形態にかかるＸ線ＣＴシステムでは、Ｘ線ＣＴ装置１００及び造影剤インジェクタ３００ともにテストボーラスのあるプロトコルと、テストボーラスのないプロトコルとを設定できる場合であっても、ユーザはテストボーラスの有無についての整合性を悩むことなく、整合性を保つように容易に設定できる。
【００８９】
また、第２の実施形態では、出力制御部３０５ｃが、造影プロトコルと撮影プロトコルとが整合していない旨の情報やテストスキャン済みである旨の警告を出力部２０６に表示させるものとして説明したが、実施形態はこれに限定されるものではない。例えば、出力制御部３０５ｃは、造影プロトコルと撮影プロトコルとが整合していない旨の情報やテストスキャン済みである旨の警告を表示装置３２に表示させてもよい。かかる場合、出力制御部３０５ｃは、造影プロトコルと撮影プロトコルとが整合していない旨の情報やテストスキャン済みである旨の警告を生成し、生成した情報や警告をＸ線ＣＴ装置１００に通信部２０３を介して送信する。そして、Ｘ線ＣＴ装置１００のシステム制御部３８は、出力制御部３０５ｃから通信部３９を介して受信した情報や警告を表示装置３２に表示させる。
【００９０】
（第３の実施形態）
上述した第１の実施形態及び第２の実施形態では、Ｘ線ＣＴシステムが備えるＸ線ＣＴ装置１００又は造影剤インジェクタ３００が、造影プロトコルと撮影プロトコルとが整合するか否かを判定する場合について説明した。ところで、造影プロトコルと撮影プロトコルとが整合するか否かを判定する処理は、Ｘ線ＣＴシステムが備えるＸ線ＣＴ装置１００及び造影剤インジェクタ３００以外で実施されてもよいものである。そこで、第３の実施形態では、Ｘ線ＣＴ装置１００及び造影剤インジェクタ３００以外の造影撮影支援装置が、造影プロトコルと撮影プロトコルとが整合するか否かを判定する場合について説明する。
【００９１】
図１８は、第３の実施形態にかかるＸ線ＣＴシステムの全体構成を示すブロック図である。図１８に示すように、第３の実施形態にかかるＸ線ＣＴシステムは、Ｘ線ＣＴ装置１００と、造影剤インジェクタ２００と、造影撮影支援装置４００とを有する。第３の実施形態にかかるＸ線ＣＴシステムでは、造影撮影支援装置４００は、Ｘ線ＣＴ装置１００及び造影剤インジェクタ２００とネットワークを介して接続される。なお、Ｘ線ＣＴ装置１００及び造影剤インジェクタ２００は、第１の実施形態で説明したＸ線ＣＴ装置１００及び造影剤インジェクタ２００と同様であるので、詳細な説明を省略する。なお、第３の実施形態では、Ｘ線ＣＴ装置１００のシステム制御部３８は、判定部３８ｂと出力制御部３８ｃとプロトコル修正部３８ｄとの機能を使用しない、或いは、判定部３８ｂと出力制御部３８ｃとプロトコル修正部３８ｄとを有さずに構成される。
【００９２】
図１８に示すように、第３の実施形態にかかる造影撮影支援装置４００は、操作部４０１、出力部４０２、通信部４０３、メモリ４０４及び制御部４０５を有する。操作部４０１は、マウスやキーボードなどを有し、造影撮影支援装置４００に対する指示をユーザから受け付ける。出力部４０２は、ＬＣＤなどのディスプレイを有し、各種情報を表示する。例えば、この出力部４０２は、各種指示をユーザから受け付けるためのＧＵＩやユーザから受け付けた各種指示を表示する。メモリ４０４は、操作部４０１が入力した入力情報や通信部４０３が受信した情報を記憶する。
【００９３】
通信部４０３は、制御部４０５の制御のもと、通信ケーブル等を介して接続するＸ線ＣＴ装置１００及び造影剤インジェクタ２００との間で、ＣＡＮ等による通信を行う。これにより、造影撮影支援装置４００は、Ｘ線ＣＴ装置１００及び造影剤インジェクタ２００との間で撮影や造影剤の投与開始時にかかる同期信号の送受信を行う。また、造影撮影支援装置４００は、Ｘ線ＣＴ装置１００の撮影プロトコルの読み出しや撮影プロトコルの設定、造影剤インジェクタ２００の造影プロトコルの読み出しや造影プロトコルの設定を行うこともできる。言い換えると、通信部４０３は、Ｘ線ＣＴ装置１００において設定された被検体Ｐの撮影にかかる撮影プロトコルをＸ線ＣＴ装置１００から取得し、造影剤インジェクタ２００において設定された被検体Ｐへの造影剤投与に関する造影プロトコルを造影剤インジェクタ２００から取得する。また、通信部４０３は、プロトコル修正部４０５ｄによって修正された撮影プロトコルをＸ線ＣＴ装置１００に設定し、プロトコル修正部４０５ｄによって修正された造影プロトコルを造影剤インジェクタ２００に設定させる。
【００９４】
制御部４０５は、図１８に示すように、判定部４０５ｂと、出力制御部４０５ｃと、プロトコル修正部４０５ｄとを有する。判定部４０５ｂは、判定部３８ｂと同様の機能を有する。すなわち、判定部４０５ｂは、図１６のステップＳ１０２と同様に、テストスキャン済みであるのにテスト投与を行う造影プロトコルやテストスキャンを行う撮影プロトコルが設定されているか否かを判定する。また、判定部４０５ｂは、図１６のステップＳ１０１における判定部３８ｂの処理と同様に、造影プロトコルと、撮影プロトコルとが整合するか否かを判定する。
【００９５】
出力制御部４０５ｃは、出力制御部３８ｃと同様の機能を有する。すなわち、出力制御部４０５ｃは、図１６のステップＳ１０３と同様に、テストスキャン済みであるのにテスト投与を行う造影プロトコルやテストスキャンを行う撮影プロトコルが設定されている場合に、出力部２０６に警告表示させる。また、出力制御部４０５ｃは、図１６のステップＳ１０８における出力制御部３８ｃの処理と同様に、造影プロトコルと撮影プロトコルとが整合しないと判定された場合に、造影プロトコルと撮影プロトコルとが整合していない旨の情報を出力部４０２に表示させる。
【００９６】
プロトコル修正部４０５ｄは、プロトコル修正部３８ｄと同様の機能を有する。すなわち、プロトコル修正部４０５ｄは、図１６のステップＳ１０４と同様に、テストスキャンを含む撮影プロトコル又は造影プロトコルを、テストスキャンを含まない撮影プロトコル又は造影プロトコルに修正する。また、プロトコル修正部４０５ｄは、図１６のステップＳ１０９におけるプロトコル修正部３８ｄの処理と同様に、造影プロトコルと撮影プロトコルとが整合しないと判定された場合に、造影プロトコル又は撮影プロトコルの一方を、他方に合わせて修正する。ここで、プロトコル修正部４０５ｄが、Ｘ線ＣＴ装置１００に設定された撮影プロトコルを修正した場合、通信部４０３を介してＸ線ＣＴ装置１００に修正した撮影プロトコルを設定させる。これにより、Ｘ線ＣＴ装置１００の設定部３８ａは、修正された撮影プロトコルをシステム制御部３８のＲＡＭに設定する。一方、プロトコル修正部４０５ｄが、造影剤インジェクタ２００に設定された造影プロトコルを修正した場合、通信部４０３を介して造影剤インジェクタ２００に修正した造影プロトコルを設定させる。これにより、造影剤インジェクタ２００の設定部２０５ａは、修正された造影プロトコルをメモリ２０４に設定する。
【００９７】
以上のように、第３の実施形態にかかるＸ線ＣＴシステムでは、造影撮影支援装置４００が、造影プロトコルと撮影プロトコルとが整合しているか否かを判定する。これにより、第３の実施形態にかかるＸ線ＣＴシステムでは、Ｘ線ＣＴ装置１００及び造影剤インジェクタ２００ともにテストボーラスのあるプロトコルと、テストボーラスのないプロトコルとを設定できる場合であっても、ユーザはテストボーラスの有無についての整合性を悩むことなく、整合性を保つように容易に設定できる。
【００９８】
また、第３の実施形態では、出力制御部４０５ｃが、造影プロトコルと撮影プロトコルとが整合していない旨の情報やテストスキャン済みである旨の警告を出力部４０２に表示させるものとして説明したが、実施形態はこれに限定されるものではない。例えば、出力制御部４０５ｃは、造影プロトコルと撮影プロトコルとが整合していない旨の情報やテストスキャン済みである旨の警告を、表示装置３２及び造影剤インジェクタ２００の出力部２０６の少なくともいずれか一方に表示させてもよい。なお、出力制御部４０５ｃは、かかる場合に、造影プロトコルと撮影プロトコルとが整合していない旨の情報やテストスキャン済みである旨の警告を出力部４０２に更に表示してもよい。
【００９９】
また、第３の実施形態では、通信部４０３は、撮影プロトコルをＸ線ＣＴ装置１００から取得し、造影プロトコルを造影剤インジェクタ２００から取得するものとして説明したが、実施形態はこれに限定されるものではない。例えば、通信部４０３は、撮影プロトコルとＸ線ＣＴ装置１００が取得した造影プロトコルとをＸ線ＣＴ装置１００から取得してもよい。また、通信部４０３は、造影プロトコルと造影剤インジェクタ２００が取得した撮影プロトコルとを造影剤インジェクタ２００から取得してもよい。
【０１００】
（その他の実施形態）
なお、第１から第３の実施形態では、撮影プロトコルと造影プロトコルとの間で整合性が取れていない旨の情報やテストスキャン済みである旨の警告を所定の出力部に表示させるものとして説明したが、実施形態は、これに限定されるものではない。例えば、出力制御部３８ｃ（３０５ｃ、４０５ｃ）は、撮影プロトコルと造影プロトコルとの間で整合性が取れていないことやテストスキャン済みであることを示す音声で出力してもよく、或いは、ブザー音や振動による報知や警告灯の点灯などの情報を出力するようにしてもよい。すなわち、出力制御部３８ｃ（３０５ｃ、４０５ｃ）は、造影プロトコルと撮影プロトコルとが整合しないと判定された場合に、造影プロトコルと撮影プロトコルとが整合していない旨の情報を所定の出力部に出力させる。また、出力制御部３８ｃ（３０５ｃ、４０５ｃ）は、テストスキャン済みであるのにテスト投与を行う造影プロトコルや撮影プロトコルが設定されている場合に、テストスキャン済みである旨の警告を所定の出力部に出力させる。
【０１０１】
また、上述した第１から第３の実施形態では、Ｘ線ＣＴシステムにおいて、設定された撮影プロトコルと造影プロトコルとの間で整合性がとれていない場合、整合性がとれていないことを示す情報を表示するとともに、撮影プロトコル又は造影プロトコルを修正するものとして説明したが、実施形態はこれに限定されるものではない。例えば、設定された撮影プロトコルと造影プロトコルとの間で整合性がとれていない場合、撮影プロトコル又は造影プロトコルを修正する処理を省略してもよい。かかる場合、Ｘ線ＣＴシステムにおいて、整合性がとれていないことを示す情報を表示し、ユーザから撮影プロトコル又は造影プロトコルの修正を受付ける。或いは、設定された撮影プロトコルと造影プロトコルとの間で整合性がとれていない場合、Ｘ線ＣＴシステムにおいて、整合性がとれていないことを示す情報を表示する処理を省略して、撮影プロトコル又は造影プロトコルを自動的に修正してもよい。
【０１０２】
同様に、Ｘ線ＣＴシステムにおいて、テストスキャン済みであるのにテスト投与を行う造影プロトコルやテストスキャンを行う撮影プロトコルが設定されている場合に、撮影プロトコル又は造影プロトコルを修正する処理を省略してもよい。かかる場合、Ｘ線ＣＴシステムにおいて、テストスキャン済みであることを示す警告を表示し、ユーザから撮影プロトコル又は造影プロトコルの修正を受付ける。或いは、Ｘ線ＣＴシステムにおいて、テストスキャン済みであるのにテスト投与を行う造影プロトコルやテストスキャンを行う撮影プロトコルが設定されている場合に、テストスキャン済みである旨の警告を所定の出力部に出力させずに、撮影プロトコル又は造影プロトコルを自動的に修正してもよい。
【０１０３】
また、上述した実施形態では、ＣＡＮ等の通信によって撮影プロトコル又は造影プロトコルを取得するものとして説明したが、実施形態はこれに限定されるものではない。例えば、Ｘ線ＣＴ装置１００は、複数の撮影プロトコルに加えて、複数の造影プロトコルを予めＲＯＭなどに記憶しておき、設定された造影プロトコルを示す識別子を造影剤インジェクタ２００から取得するようにしてもよい。同様に、造影剤インジェクタ３００は、複数の造影プロトコルに加えて、複数の撮影プロトコルを予めＲＯＭなどに記憶しておき、設定された撮影プロトコルを示す識別子をＸ線ＣＴ装置１００から取得するようにしてもよい。また、造影撮影支援装置４００は、複数の撮影プロトコルと複数の造影プロトコルとを予めＲＯＭなどに記憶しておき、設定された撮影プロトコルを示す識別子と設定された造影プロトコルを示す識別子とを取得するようにしてもよい。或いは、Ｘ線ＣＴシステムでは、設定された撮影プロトコルを示す識別子や設定された造影プロトコルを示す識別子を取得する代わりに、設定された撮影プロトコルや設定された造影プロトコルをユーザから受付けてもよい。
【０１０４】
また、上述した実施形態では、造影剤を投与してヘリカルスキャンを行う際に、実施中の撮影プロトコルを中止してステップアンドシュートスキャンへ変更する場合を一例として説明したが、この例に限定するものではない。例えば、造影剤を投与してステップアンドシュートスキャンを行う際に、実施中の撮影プロトコルを中止してヘリカルスキャンへ変更する場合であってもよい。
【０１０５】
以上説明した少なくともひとつの実施形態によれば、撮影プロトコルと造影プロトコルとの整合性を保つように容易に設定可能とすることができる。
【０１０６】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【０１０７】
１０…架台装置、２０…寝台装置、３０…コンソール装置、３１…入力装置、３２…表示装置、３３…スキャン制御部、３４…前処理部、３５…投影データ記憶部、３６…画像再構成処理部、３７…画像データ記憶部、３８…システム制御部、３８ａ…設定部、３８ｂ…判定部、３８ｃ…出力制御部、３８ｄ…プロトコル修正部、３９…通信部、１００…Ｘ線ＣＴ装置、２００、３００…造影剤インジェクタ、２０１…注入機構部、２０２…操作部、２０３…通信部、２０４…メモリ、２０５、３０５…制御部、２０５ａ…設定部、２０６…出力部、３０５ｂ…判定部、３０５ｃ…出力制御部、３０５ｄ…プロトコル修正部、４００…造影撮影支援装置、４０１…操作部、４０２…出力部、４０３…通信部、４０４…メモリ、４０５…制御部、４０５ｂ…判定部、４０５ｃ…出力制御部、４０５ｄ…プロトコル修正部、Ｃ１…通信、Ｇ…表示画面、Ｇ１〜Ｇ３…警告表示、Ｈ…技師、Ｉ１〜Ｉ３…入力情報、Ｐ…被検体、Ｐ１、Ｐ３、Ｐ１１、Ｐ１２、Ｐ３１…造影プロトコル、Ｐ２、Ｐ４、Ｐ２１、Ｐ２２…撮影プロトコル
【図１】
2015165887.tif 000003
【図２】
2015165887.tif 000004
【図３】
2015165887.tif 000005
【図４】
2015165887.tif 000006
【図５】
2015165887.tif 000007
【図６】
2015165887.tif 000008
【図７】
2015165887.tif 000009
【図８】
2015165887.tif 000010
【図９】
2015165887.tif 000011
【図１０】
2015165887.tif 000012
【図１１】
2015165887.tif 000013
【図１２】
2015165887.tif 000014
【図１３】
2015165887.tif 000015
【図１４】
2015165887.tif 000016
【図１５】
2015165887.tif 000017
【図１６】
2015165887.tif 000018
【図１７】
2015165887.tif 000019
【図１８】
2015165887.tif 000020